(57)【要約】【課題】演奏者が、複数の操作子を列状に並べて形成した操作子群中のいずれの操作子を操作したときでも、発音体から発生する楽音の音像定位をできるだけずらさないようにすることが可能となる電子楽器を提供する。【解決手段】センタスピーカ７ｂが存在することにより、演奏者の頭部が高音鍵側に寄った場合には、演奏者の左側に、左スピーカ７ａとセンタスピーカ７ｂの２つのスピーカが存在することになり、また、センタスピーカ７ｂは演奏者との距離が最も近いので、各スピーカ７ａ〜７ｃから発生された楽音の音像定位は、センタスピーカ７ｂが存在しないときの音像定位に比較して、より中央部に移動する。この事情は、演奏者の頭部が低音鍵側に寄った場合も、同様である。このように、本実施の形態では、演奏者が自分の頭部を楽器の中央部から左右に振ったとしても、各スピーカから発生される楽音の音像定位は、大きく左右にずれることなく、楽器の中央部近くに留まり続ける。【選択図】図３
2007256620.tif 000002
【特許請求の範囲】
【請求項１】
複数の操作子を列状に並べて形成した操作子群と、
該操作子群の両端近傍にそれぞれ配置した左および右発音体と、
演奏者が、前記操作子群中の、少なくとも１つの操作子を操作したときに、該少なくとも１つの操作子に対応する、少なくとも１つのステレオ楽音信号を生成する生成手段と、
前記左および右発音体から、前記生成手段によって生成された、少なくとも１つのステレオ楽音信号に応じたステレオ楽音を発生させる発生手段と、
前記左および右発音体の中央近傍に配置された、少なくとも１つのセンタ発音体と
を有し、
前記発生手段は、前記生成されたステレオ楽音信号を混合し、混合後の楽音信号に応じた楽音を前記センタ発音体から発生させることを特徴とする電子楽器。
【請求項２】
前記左および右発音体は、それぞれ、低域から高域に至る楽音を発生させるスピーカであり、
前記センタ発音体は、高域を中心とした楽音を発生させるスピーカである
ことを特徴とする請求項１に記載の電子楽器。
【発明の詳細な説明】
【技術分野】
【０００１】
本発明は、複数の操作子を列状に並べて形成した操作子群と、該操作子群の両端近傍にそれぞれ配置した発音体を備えた電子楽器に関する。
【背景技術】
【０００２】
複数の操作子を列状に並べて形成した操作子群と、該操作子群の両端近傍にそれぞれ配置した発音体を備えた電子楽器は、従来から知られている。
【０００３】
図５は、一般的な従来の電子鍵盤楽器の平面図である。
【０００４】
同図に示すように、一般的な従来の電子鍵盤楽器は、鍵盤１の両端近傍に、左スピーカ７ａおよび右スピーカ７ｃを備え、演奏者が鍵盤１を押鍵すると、押さえた鍵に応じた楽音信号が生成され、左右スピーカ７ａ，７ｃから、この楽音信号に応じた楽音が発音される。
【０００５】
図６は、演奏者が上記従来の電子鍵盤楽器の中央で演奏する様子を示す図である。
【０００６】
同図に示すように、演奏者が電子鍵盤楽器の中央で演奏した場合には、演奏者から左スピーカ７ａまでの距離と、演奏者から右スピーカ７ｃ間での距離は、ほぼ同じであるので、左右スピーカ７ａ，７ｃからそれぞれ発生する楽音の音像定位（図中、“×”で示す）は、演奏者の正面に位置する。
【発明の開示】
【発明が解決しようとする課題】
【０００７】
しかし、上記従来の電子鍵盤楽器では、左スピーカ７ａと右スピーカ７ｃを結ぶ線分と、演奏者との距離は、その線分の半分の長さより、かなり短いので、つまり、図６に示すように、演奏者と左右スピーカ７ａ，７ｃのそれぞれとの前後距離は、演奏者と左右スピーカ７ａ，７ｃのそれぞれとの左右距離より、かなり短いので（図６には、前後距離の方が左右距離より長く描かれているが、これは図面上のことであり、実際には、逆である）、演奏者が、たとえば、鍵盤１の高音鍵を押さえるときには、演奏者の頭も、高音鍵側に移動させる必要があった。この結果、演奏者には、右スピーカ７ｃからの楽音の方が、左スピーカ７ａからの楽音より大きな音で聞こえることになり、音像定位は、図７に示すように、高音鍵側にずれてしまう。この事情は、演奏者が低音鍵を押さえるときも、同様である（ただし、音像定位のずれる方向は、逆である）。
【０００８】
本発明は、この点に着目してなされたものであり、演奏者が、複数の操作子を列状に並べて形成した操作子群中のいずれの操作子を操作したときでも、発音体から発生する楽音の音像定位をできるだけずらさないようにすることが可能となる電子楽器を提供することを目的とする。
【課題を解決するための手段】
【０００９】
上記目的を達成するため、請求項１に記載の電子楽器は、複数の操作子を列状に並べて形成した操作子群と、該操作子群の両端近傍にそれぞれ配置した左および右発音体と、演奏者が、前記操作子群中の、少なくとも１つの操作子を操作したときに、該少なくとも１つの操作子に対応する、少なくとも１つのステレオ楽音信号を生成する生成手段と、前記左および右発音体から、前記生成手段によって生成された、少なくとも１つのステレオ楽音信号に応じたステレオ楽音を発生させる発生手段と、前記左および右発音体の中央近傍に配置された、少なくとも１つのセンタ発音体とを有し、前記発生手段は、前記生成されたステレオ楽音信号を混合し、混合後の楽音信号に応じた楽音を前記センタ発音体から発生させることを特徴とする。
【００１０】
好ましくは、前記左および右発音体は、それぞれ、低域から高域に至る楽音を発生させるスピーカであり、前記センタ発音体は、高域を中心とした楽音を発生させるスピーカであることを特徴とする。
【発明の効果】
【００１１】
請求項１に記載の発明によれば、左および右発音体の中央近傍に、少なくとも１つのセンタ発音体を配置させ、左および右発音体からステレオ楽音を発生させるためのステレオ楽音信号を混合し、混合後の楽音信号に応じた楽音を前記センタ発音体から発生させるようにしたので、演奏者の頭の位置に拘わらず、各発音体から発生する楽音の音像定位を、左発音体と右発音体との略中央部に留まらせることが可能となる。
【００１２】
請求項２に記載の発明によれば、容量の小さなセンタ発音体を設けるようにしたので、請求項１に記載の発明と同様の効果を得ながら、電子楽器全体のサイズを抑えることが可能となる。
【発明を実施するための最良の形態】
【００１３】
以下、本発明の実施の形態を図面に基づいて詳細に説明する。
【００１４】
図１は、本発明の第１の実施の形態に係る電子楽器を適用した電子鍵盤楽器の平面図である。同図中、前記図５と同様の構成要素には、同一符号を付し、その説明は省略する。
【００１５】
図１の電子鍵盤楽器と図５の電子鍵盤楽器とを見比べれば分かるように、図１の電子鍵盤楽器は、図５の電子鍵盤楽器に対して、左スピーカ７ａと右スピーカ７ｃとの中央部に、センタスピーカ７ｂを設けた点が異なっている。つまり、左スピーカ７ａとセンタスピーカ７ｂとの距離（＝ａｌ）が、右スピーカ７ｃとセンタスピーカ７ｂとの距離（＝ａｒ）と同じになるような位置に、センタスピーカ７ｂを設けている。
【００１６】
なお、センタスピーカ７ｂの設置位置は、鍵盤１の中央部（鍵盤１の左端とセンタスピーカ７ｂとの距離（＝ｂｌ）＝鍵盤１の右端とセンタスピーカ７ｂとの距離（＝ｂｒ））とも言い得るし、楽器の操作面の中央部（操作面の左端とセンタスピーカ７ｂとの距離（＝ｃｌ）＝操作面の右端とセンタスピーカ７ｂとの距離（＝ｃｒ））とも言い得る。
【００１７】
図２は、本実施の形態の電子鍵盤楽器が実行する、楽音信号の生成処理を説明するためのブロック図である。
【００１８】
同図に示すように、演奏者が鍵盤１を押鍵することによって発生した演奏イベントは、トーンジェネレータ（ＴＧ）２に供給され、ＴＧ２は、演奏イベントに応じたステレオ楽音信号を生成し、左チャンネル（ｃｈ）楽音信号を分岐部３ａに供給するとともに、右チャンネル（ｃｈ）楽音信号を分岐部３ｂに供給する。なお、本実施の形態の電子鍵盤楽器は、演奏者が鍵盤１を用いて行った演奏による演奏音だけでなく、自動演奏による演奏音も発生させることができるように構成されているので、ＴＧ２には、自動演奏データ１００も供給され、ＴＧ２は、供給された自動演奏データ１００に応じたステレオ楽音信号も生成する。
【００１９】
分岐部３ａは、供給された左ｃｈ楽音信号を２系統に分岐し、一方を左スピーカ用サウンドシステム６ａに供給し、他方をアンプ４ａに供給する。
【００２０】
分岐部３ｂは、供給された右ｃｈ楽音信号を２系統に分岐し、一方を右スピーカ用サウンドシステム６ｃに供給し、他方をアンプ４ｂに供給する。
【００２１】
アンプ４ａは、供給された左ｃｈ楽音信号を所定ゲインだけ増幅した後、混合器５に供給し、アンプ４ｂは、供給された右ｃｈ楽音信号を所定ゲインだけ増幅した後、混合器５に供給する。
【００２２】
混合器５は、供給された左ｃｈおよび右ｃｈ楽音信号を混合して、センタスピーカ用サウンドシステム６ｂに供給する。
【００２３】
各サウンドシステム６ａ〜６ｃは、それぞれ、ＤＡＣ（Digital-to-Analog Converter）およびアンプ等によって構成され、供給されたデジタル楽音信号をアナログ楽音信号に変換し、所定ゲインだけ増幅した後、対応するスピーカ７ａ〜７ｃに供給する。
【００２４】
なお、ＴＧ２が生成するステレオ楽音信号は、左ｃｈのものと右ｃｈのものとが、互いに形状の異なる波形である必要はなく、たとえば、形状は同じで、位相差をつけたもの、位相差もなく全く同じ形状であるが、発音音量に差を付けたもの、などが考えられる。
【００２５】
図３は、演奏者が本実施の形態の電子鍵盤楽器の高音鍵側に寄った状態で演奏する様子を示す図である。
【００２６】
同図に示すように、センタスピーカ７ｂが存在することにより、演奏者の頭部が高音鍵側に寄った場合には、演奏者の左側に、左スピーカ７ａとセンタスピーカ７ｂの２つのスピーカが存在することになり、また、センタスピーカ７ｂは演奏者との距離が最も近いので、各スピーカ７ａ〜７ｃから発生された楽音の音像定位は、センタスピーカ７ｂが存在しないときの音像定位に比較して、より中央部に移動する。この事情は、演奏者の頭部が低音鍵側に寄った場合も、同様である。
【００２７】
このように、本実施の形態では、演奏者が自分の頭部を楽器の中央部から左右に振ったとしても、各スピーカから発生される楽音の音像定位は、大きく左右にずれることなく、楽器の中央部近くに留まり続ける。
【００２８】
図４は、本発明の第２の実施の形態に係る電子楽器を適用した電子鍵盤楽器の平面図である。
【００２９】
本実施の形態の電子鍵盤楽器は、上記第１の実施の形態の電子鍵盤楽器に対して、左スピーカ７ａと右スピーカ７ｃとの中央部近傍に、２つのセンタスピーカ７ｂ１および７ｂ２を設けた点が異なっている。
【００３０】
２つのセンタスピーカ７ｂ１および７ｂ２のそれぞれには、前記第１の実施の形態と同様に、ステレオ楽音信号の左ｃｈおよび右ｃｈ楽音信号を混合したものが供給されるようにしてもよいし、左センタスピーカ７ｂ１には、左ｃｈ楽音信号が供給され、右センタスピーカ７ｂ２には、右ｃｈ楽音信号が供給されるようにしてもよい。さらに、左スピーカ７ａ、左センタスピーカ７ｂ１、右センタスピーカ７ｂ２および右スピーカ７ｃのいずれにも、左右両ｃｈの楽音信号が供給され、供給される楽音信号のレベル（音量）をこの並び順で変化させるようにしてもよい。具体的には、左ｃｈ楽音信号は、左スピーカ７ａに供給されるもののレベルが最も高く、順に低くなって行き、右スピーカ７ｃに供給されるもののレベルが最も低く、逆に、右ｃｈ楽音信号は、左スピーカ７ａに供給されるもののレベルが最も低く、順に高くなって行き、右スピーカ７ｃに供給されるもののレベルが最も高いという具合である。
【００３１】
このように構成しても、上記第１の実施の形態の電子鍵盤楽器と同様に、演奏者が自分の頭部を楽器の中央部から左右に振ったとしても、各スピーカから発生される楽音の音像定位は、大きく左右にずれることなく、楽器の中央部近くに留まり続ける。
【００３２】
なお、上記各実施の形態では、センタスピーカ７ｂ，７ｂ１および７ｂ２は、左右スピーカ７ａ，７ｃと同様に、低域から高域に至る楽音を発生するものを採用したが、これに限らず、センタスピーカ７ｂ，７ｂ１および７ｂ２は、左右スピーカ７ａ，７ｃと異なり、高域を中心とした楽音を発生させるもの、具体的には、ツイータを採用してもよい。ツイータは、通常のスピーカ、つまり、低域から高域に至る楽音を発生するスピーカに比べ、その容量（体積）が小さいので、電子鍵盤楽器の筐体を大きくできない場合には、特に有効である。
【００３３】
また、上記各実施の形態では、電子楽器として、電子鍵盤楽器を採用したが、本発明は、複数の操作子を列状に並べて形成した操作子群を備え、その操作子群の両端近傍にそれぞれ左右スピーカを配置したものであれば、必ずしも鍵盤楽器の態様を採らなくてもよい。
【図面の簡単な説明】
【００３４】
【図１】本発明の第１の実施の形態に係る電子楽器を適用した電子鍵盤楽器の平面図である。
【図２】図１の電子鍵盤楽器が実行する、楽音信号の生成処理を説明するためのブロック図である。
【図３】演奏者が図１の電子鍵盤楽器の高音鍵側に寄った状態で演奏する様子を示す図である。
【図４】本発明の第２の実施の形態に係る電子楽器を適用した電子鍵盤楽器の平面図である。
【図５】一般的な従来の電子鍵盤楽器の平面図である。
【図６】演奏者が図５の電子鍵盤楽器の中央で演奏する様子を示す図である。
【図７】演奏者が図５の電子鍵盤楽器の高音鍵側に寄った状態で演奏する様子を示す図である。
【符号の説明】
【００３５】
１…鍵盤（操作子群），２…ＴＧ（生成手段），６ａ…左スピーカ用サウンドシステム（発生手段），６ｂ…センタスピーカ用サウンドシステム（発生手段），６ｃ…右スピーカ用サウンドシステム（発生手段），７ａ…左スピーカ（左発音体），７ｂ…センタスピーカ（センタ発音体），７ｃ…右スピーカ（右発音体）
【図１】
2007256620.tif 000003
【図２】
2007256620.tif 000004
【図３】
2007256620.tif 000005
【図４】
2007256620.tif 000006
【図５】
2007256620.tif 000007
【図６】
2007256620.tif 000008
【図７】
2007256620.tif 000009